(57)【要約】【目的】  アイマスクの機能を備え、しかも、アイマスクの機能を使用するときに付け睫毛などの眼の周囲の化粧がアイマスクに接触して損なわれてしまうことを防止することができる、新規なヘアバンドを提供する。【構成】  ユーザーの頭部に装着して使用するヘアバンド部は、ユーザーの頭部に装着したときにユーザーの頭部の前方に配置される部分に、ユーザーの両眼を覆うことができるアイマスク部の上端部が固定されている。また、前記アイマスク部の上端部を前記ヘアバンド部に対して着脱可能に取り付けるための接続手段が備えられている。また、前記ヘアバンド部と前記アイマスク部とを連結する中間部材、前記ヘアバンド部の前記アイマスク部が固定される部分、又は前記アイマスク部の上端部は、約１．０〜約５．０ｃｍの厚さを有するように構成されている。【選択図】    図１
2010131354.tif 000002
【特許請求の範囲】
【請求項１】
ユーザーの頭部に装着されるヘアバンド部であって、ユーザーの前頭部（ひたい・おでこ）に対向する前頭対向部を含み、前記前頭対向部は、そのユーザーに対向する面と反対側の面の複数の位置に、それぞれ、後述の中間部材を着脱自在に取り付けるための第１の面ファスナー（ｈｏｏｋ−ａｎｄ−ｌｏｏｐ  ｆａｓｔｎｅｒ）が配置されている、ヘアバンド部と、
前記ヘアバンド部の前頭対向部と対向するように配置される中間部材であって、その前記ヘアバンド部に対向する側とその反対側との間の厚さが約１．０〜約４．０ｃｍとなるように形成されており、その前記ヘアバンド部と対向する面の複数の位置であって前記第１の面ファスナーとそれぞれ対向する複数の位置に、それぞれ、前記第１の面ファスナーと着脱可能な第２の面ファスナーが配置されており、その前記ヘアバンド部と対向する面と反対側の面の複数の位置に、それぞれ、後述のアイマスク部を着脱可能に取り付けるための第３の面ファスナーが配置されている、中間部材と、
ユーザーの両眼を覆うためのアイマスク部であって、その前記中間部材と対向する面の複数の位置であって前記第３の面ファスナーとそれぞれ対向する複数の位置に、それぞれ、前記第３の面ファスナーと着脱可能な第４の面ファスナーが配置されている、アイマスク部と、
を含むことを特徴とする、ヘアバンド。
【請求項２】
ユーザーの頭部に装着されるヘアバンド部であって、前記ユーザーの前頭部（ひたい・おでこ）に対向する前頭対向部を含み、前記前頭対向部は、そのユーザーの前頭部に対向する側とその反対側との間の厚さが約１．０〜約５．０ｃｍとなるように形成されており、前記前頭対向部は、そのユーザーの前頭部に対向する側と反対側の面の複数の位置に、それぞれ、後述のアイマスク部を着脱可能に取り付けるため第１の面ファスナー（ｈｏｏｋ−ａｎｄ−ｌｏｏｐ  ｆａｓｔｎｅｒ）を備えている、ヘアバンド部と、
ユーザーの両眼を覆うためのアイマスク部であって、その前記ヘアバンド部と対向する面の前記第１の面ファスナーと対向する位置に、それぞれ、前記第１の面ファスナーと着脱可能な第２の面ファスナーを備えている、アイマスク部と、
を含むことを特徴とする、ヘアバンド。
【請求項３】
ユーザーの頭部に装着されるヘアバンド部であって、その中の前記ユーザーの前頭部（ひたい・おでこ）に対向する前頭対向部を含み、前記前頭対向部は、そのユーザーの前頭部に対向する側と反対側の面の複数の位置に、それぞれ、後述のアイマスク部を着脱可能に取り付けるため第１の面ファスナー（ｈｏｏｋ−ａｎｄ−ｌｏｏｐ  ｆａｓｔｎｅｒ）を備えている、ヘアバンド部と、
ユーザーの両眼を覆うためのアイマスク部であって、その中の前記ヘアバンド部の前頭対向部に対向する部分は、その前記ヘアバンド部に対向する側とその反対側との間の厚さが約１．０〜約５．０ｃｍの厚さを有するように形成されており、その前記ヘアバンド部と対向する面の前記第１の面ファスナーと対向する位置に、それぞれ、前記第１の面ファスナーと着脱可能な第２の面ファスナーを備えている、アイマスク部と、
を含むことを特徴とする、ヘアバンド。
【請求項４】
ユーザーの頭部に装着されるヘアバンド部であって、その中の前記ユーザーの前頭部に対向する前頭対向部を含み、前記前頭対向部は、そのユーザーの前頭部に対向する側とその反対側との間の厚さが約１．０〜約５．０ｃｍとなるように形成されており、その前記ユーザーの前頭部に対向する側と反対側の面の複数の位置に、それぞれ、後述のアイマスク部を着脱可能に取り付けるためボタンを備えている、ヘアバンド部と、
ユーザーの両眼を覆うためのアイマスク部であって、その前記ボタンと対向する位置に、それぞれ、前記ボタンを挿入するためのボタン穴が形成されている、アイマスク部と、
を含むことを特徴とする、ヘアバンド。
【請求項５】
請求項１から４までのいずれかにおいて、前記アイマスク部の左右両端部に、前記ヘアバンド部から取り外した状態のアイマスク部をユーザーの頭部に装着するための紐が備えられている、ことを特徴とする、ヘアバンド。
【発明の詳細な説明】
【技術分野】
【０００１】
本発明は、ユーザーの頭部に装着して使用するヘアバンドに関する。
【背景技術】
【０００２】
従来より、頭髪を装飾するバンド状のアクセサリーとして、ユーザーの頭部に帯状の布やゴムなどから成るヘアバンドを装着することが行われている。
【先行技術文献】
【特許文献】
【０００３】
【特許文献１】実用新案登録第３１３３５６６号公報
【発明の概要】
【発明が解決しようとする課題】
【０００４】
このようなヘアバンドは、従来より、主として前髪の乱れを抑えたり頭髪のファッション性を高めるなどの目的で使用されている。しかしながら、従来は、このようなヘアバンドに本来の使用目的とは異なる付加価値を与えてユーザーに高い利便性を提供するという発想による新たなヘアバンドの開発は、全く行われていなかった。
【０００５】
本発明は、このような従来技術の問題点に着目して為されたものであって、ヘアバンドに前述のような従来の使用目的とは異なる付加価値を付加してユーザーに高い利便性を提供することを目的とする。本発明は、特に、飛行機内などの公共的な空間に居るユーザーに対して、落ち着いた環境で過ごせるアイマスクの機能を与えることができ、しかも、アイマスクの機能を使用するときに付け睫毛などの眼の周囲の化粧がアイマスクに接触して損なわれてしまうことを防止することができる、新たなヘアバンドを提供することを目的とする。
【課題を解決するための手段】
【０００６】
本発明によるヘアバンドは、
ユーザーの頭部に装着されるヘアバンド部であって、その中のユーザーの前頭部（ひたい・おでこ）に対向する前頭対向部であって、そのユーザーに対向する面と反対側の面の複数の位置に、それぞれ、後述の中間部材を着脱自在に取り付けるための第１の面ファスナー（ｈｏｏｋ−ａｎｄ−ｌｏｏｐ  ｆａｓｔｎｅｒ）が配置されている前頭対向部、を含むヘアバンド部と、
前記ヘアバンド部の前頭対向部と対向するように配置される中間部材であって、その前記ヘアバンド部に対向する側とその反対側との間の厚さが約１．０〜約４．０ｃｍとなるように形成されており、その前記ヘアバンド部と対向する面の複数の位置であって前記第１の面ファスナーとそれぞれ対向する複数の位置に、それぞれ、前記第１の面ファスナーと着脱可能な第２の面ファスナーが配置されており、その前記ヘアバンド部と対向する面と反対側の面の複数の位置に、それぞれ、後述のアイマスク部を着脱可能に取り付けるための第３の面ファスナーが配置されている、中間部材と、
ユーザーの両眼を覆うためのアイマスク部であって、その前記中間部材と対向する面の複数の位置であって前記第３の面ファスナーとそれぞれ対向する複数の位置に、それぞれ、前記第３の面ファスナーと着脱可能な第４の面ファスナーが配置されている、アイマスク部と、
を含むものである。
【０００７】
また、本発明によるヘアバンドは、
ユーザーの頭部に装着されるヘアバンド部であって、その中の前記ユーザーの前頭部（ひたい・おでこ）に対向する前頭対向部は、そのユーザーの前頭部に対向する側とその反対側との間の厚さが約１．０〜約５．０ｃｍとなるように形成されており、前記前頭対向部は、そのユーザーの前頭部に対向する側と反対側の面の複数の位置に、それぞれ、後述のアイマスク部を着脱可能に取り付けるため第１の面ファスナー（ｈｏｏｋ−ａｎｄ−ｌｏｏｐ  ｆａｓｔｎｅｒ）を備えている、ヘアバンド部と、
ユーザーの両眼を覆うためのアイマスク部であって、その前記ヘアバンド部と対向する面の前記第１の面ファスナーと対向する位置に、それぞれ、前記第１の面ファスナーと着脱可能な第２の面ファスナーを備えている、アイマスク部と、
を含むものである。
【０００８】
また、本発明によるヘアバンドは、
ユーザーの頭部に装着されるヘアバンド部であって、その中の前記ユーザーの前頭部（ひたい・おでこ）に対向する前頭対向部は、そのユーザーの前頭部に対向する側と反対側の面の複数の位置に、それぞれ、後述のアイマスク部を着脱可能に取り付けるため第１の面ファスナー（ｈｏｏｋ−ａｎｄ−ｌｏｏｐ  ｆａｓｔｎｅｒ）を備えている、ヘアバンド部と、
ユーザーの両眼を覆うためのアイマスク部であって、その中の前記ヘアバンド部の前頭対向部に対向する部分は、その前記ヘアバンド部に対向する側とその反対側との間の厚さが約１．０〜約５．０ｃｍの厚さを有するように形成されており、その前記ヘアバンド部と対向する面の前記第１の面ファスナーと対向する位置に、それぞれ、前記第１の面ファスナーと着脱可能な第２の面ファスナーを備えている、アイマスク部と、
を含むものである。
【０００９】
また、本発明によるヘアバンドは、
ユーザーの頭部に装着されるヘアバンド部であって、その中の前記ユーザーの前頭部に対向する前頭対向部は、そのユーザーの前頭部に対向する側とその反対側との間の厚さが約１．０〜約５．０ｃｍとなるように形成されており、その前記ユーザーの前頭部に対向する側と反対側の面の複数の位置に、それぞれ、後述のアイマスク部を着脱可能に取り付けるためボタンを備えている、ヘアバンド部と、
ユーザーの両眼を覆うためのアイマスク部であって、その前記ボタンと対向する位置に、それぞれ、前記ボタンを挿入するためのボタン穴が形成されている、アイマスク部と、
を含むものである。
【００１０】
さらに、本発明によるヘアバンドにおいては、前記アイマスク部の左右両端部に、前記ヘアバンド部から取り外した状態のアイマスク部をユーザーの頭部に装着するための紐が備えられている、ことが望ましい。
【発明の効果】
【００１１】
本発明によるヘアバンドは、前述のように、前記ヘアバンド部のユーザーの前頭部に対向して配置される部分に、ユーザーの両眼を覆うことができるアイマスク部が着脱可能に取り付けられている。よって、ユーザーは、前記ヘアバンド部を、前記アイマスク部がユーザーの頭頂部の方向に向く状態で使用することにより、本発明をヘアバンドとしてのみ使用することができる。また、ユーザーは、前記ヘアバンド部を、前記アイマスク部がユーザーの両眼に対向する状態で使用することにより、前記アイマスク部を自己の両眼を覆うアイマスクとして使用することができる。このように、本発明によれば、ユーザーは、ヘアバンドを、従来と同様にヘアバンドとして使用する場合と両眼を覆うアイマスクとして使用する場合との２つの目的で使用できるようになり、ヘアバンドの付加価値を大きく高めることができる。
【００１２】
また、本発明においては、前記アイマスク部を前記ヘアバンド部に対して着脱可能に取り付けることができるので、ユーザーは、前記アイマスク部を使用する予定がないときは、前記アイマスク部を取り外した状態で、前記ヘアバンド部のみを使用することができる。
【００１３】
また、本発明においては、前記ヘアバンド部と前記アイマスク部との間に、その厚さが約１．０〜約４．０ｃｍとなるように形成された中間部材を配置するようにしたことにより、前記アイマスク部とユーザーの両眼との間に所定の距離（スペース）を確保することができ、従来のアイマスクの装着時に生じていたアイマスクが両眼への圧迫感を与えるという不都合と、従来のアイマスクの装着時に生じていたアイマスクが付け睫毛その他の睫毛エクステンションなどを初めとするアイメイク（眼の周囲の化粧）に接触してアイメイクが損なわれてしまうという不都合とを、防止することができる。
【００１４】
また、本発明においては、前記ヘアバンド部の前方部分の厚さ（前記ヘアバンド部のユーザーの前頭部に対向する部分（前頭対向部）の、ユーザーの前頭部に対向する側とその反対側との間の厚さ）を、約１．０〜約５．０ｃｍに形成するようにしたことにより、前記アイマスク部とユーザーの両眼との間に所定の距離（スペース）を確保することができ、従来のアイマスクの装着時に生じていたアイマスクが両眼への圧迫感を与えるという不都合と、従来のアイマスクの装着時に生じていたアイマスクが付け睫毛その他の睫毛エクステンションなどを初めとするアイメイク（眼の周囲の化粧）に接触してアイメイクが損なわれてしまうという不都合とを、防止することができる。
【００１５】
また、本発明においては、前記アイマスク部の前記ヘアバンド部の前頭対向部に対向する部分を、その前記ヘアバンド部に対向する側とその反対側との間の厚さが約１．０〜約５．０ｃｍの厚さを有するように形成するようにしたことにより、前記アイマスク部とユーザーの両眼との間に所定の距離（スペース）を確保することができ、従来のアイマスクの装着時に生じていたアイマスクが両眼への圧迫感を与えるという不都合と、従来のアイマスクの装着時に生じていたアイマスクが付け睫毛その他の睫毛エクステンションなどを初めとするアイメイク（眼の周囲の化粧）に接触してアイメイクが損なわれてしまうという不都合とを、防止することができる。
【００１６】
さらに、本発明において、前記アイマスク部の左右両端部に、前記アイマスク部をユーザーの頭部に装着するための紐を備えるようにしたときは、ユーザーは、前記ヘアバンド部から前記アイマスク部を取り外すことにより、前記アイマスク部だけを単独で、アイマスクとして使用することができる。
【図面の簡単な説明】
【００１７】
【図１】本発明の実施例１に含まれる、ヘアバンド部とアイマスク部と中間部材とを、互いに分離した状態で示す斜視図である。
【図２】図１のアイマスク部を中間部材に取り付けた状態を示す斜視図である。
【図３】図３（ａ）は図１のアイマスク部と中間部材とを、それらをヘアバンド部に取り付けた状態で、上方から示す図である。図３（ｂ）は、図３（ａ）に示すアイマスク部と中間部材とヘアバンド部とを、それらの中央部分を切断した状態で、側方から示す断面図である。図３（ｃ）は、図３（ｂ）の一部を拡大して示す断面図である。
【図４】本実施例１を側方から見た状態を示す、一部に断面を含む側面図である。
【図５】本実施例１の使用時の一例を示す斜視図である。
【図６】本実施例１の使用時の他の一例を示す斜視図である。
【図７】本発明の実施例２に含まれる、ヘアバンド部とアイマスク部とを、互いに分離した状態で示す斜視図である。
【図８】図８（ａ）は、図７のアイマスク部を、それをヘアバンド部に取り付けた状態で、上方から示す図である。図８（ｂ）は、図８（ａ）に示すアイマスク部とヘアバンド部とを、それらの中央部分を切断した状態で、側方から示す断面図である。図８（ｃ）は、図８（ｂ）の一部を拡大して示す断面図である。
【図９】図９（ａ）は、本発明の実施例３のアイマスク部１１を前方（ユーザーに対向しない側）から見たときの斜視図である。図９（ｂ）は、本実施例３のアイマスク部１１を後方（ユーザーに対向する側）から見たときの斜視図である。
【図１０】図１０（ａ）は、本実施例３に含まれるアイマスク部とヘアバンド部とを、上方から示す図である。図１０（ｂ）は、図１０（ａ）に示すアイマスク部とヘアバンド部とを、それらの中央部分を切断した状態で、側方から示す断面図である。図１０（ｃ）は、図１０（ｂ）の一部を拡大して示す断面図である。
【図１１】本実施例４に含まれるヘアバンド部とアイマスク部とを、互いに分離した状態で、示す斜視図である。
【図１２】図１２（ａ）は、図１１のアイマスク部とヘアバンド部とを、アイマスク部をヘアバンド部に取り付けた状態で、上方から示す平面図である。図１２（ｂ）は、図１２（ａ）のアイマスク部とヘアバンド部とを、それらの中央部分を切断した状態で、示す断面図である。
【図１３】本実施例４を側方から見た状態を示す、一部に断面を含む側面図である。
【発明を実施するための形態】
【００１８】
本発明を実施するための形態について説明する。
本願の第１の発明の実施の形態は次のとおりである。ヘアバンド部は、ユーザーの前頭部（ひたい・おでこ）に対向する前頭対向部を含んでいる。前記前頭対向部は、そのユーザーに対向する面と反対側の面の複数の位置に、それぞれ、後述の中間部材を着脱自在に取り付けるための第１の面ファスナー（ｈｏｏｋ−ａｎｄ−ｌｏｏｐ  ｆａｓｔｎｅｒ）を備えている。中間部材は、前記ヘアバンド部の前頭対向部と対向するように配置されている。前記中間部材は、その前記ヘアバンド部に対向する側とその反対側との間の厚さが約１．０〜約４．０ｃｍとなるように、形成されている。前記中間部材は、その前記ヘアバンド部と対向する面の複数の位置であって前記第１の面ファスナーとそれぞれ対向する複数の位置に、それぞれ、前記第１の面ファスナーと着脱可能な第２の面ファスナーを備えている。前記中間部材は、その前記ヘアバンド部と対向する面と反対側の面の複数の位置に、それぞれ、後述のアイマスク部を着脱可能に取り付けるための第３の面ファスナーを備えている。アイマスク部は、その前記中間部材と対向する面の複数の位置であって前記第３の面ファスナーとそれぞれ対向する複数の位置に、それぞれ、前記第３の面ファスナーと着脱可能な第４の面ファスナーを備えている。
【００１９】
本願の第２の発明の実施の形態は次のとおりである。ヘアバンド部は、前記ユーザーの前頭部（ひたい・おでこ）に対向する前頭対向部を含んでいる。前記前頭対向部は、そのユーザーの前頭部に対向する側とその反対側との間の厚さが約１．０〜約５．０ｃｍとなるように、形成されている。前記前頭対向部は、そのユーザーの前頭部に対向する側と反対側の面の複数の位置に、それぞれ、後述のアイマスク部を着脱可能に取り付けるため第１の面ファスナー（ｈｏｏｋ−ａｎｄ−ｌｏｏｐ  ｆａｓｔｎｅｒ）を備えている。アイマスク部は、その前記ヘアバンド部と対向する面の前記第１の面ファスナーと対向する位置に、それぞれ、前記第１の面ファスナーと着脱可能な第２の面ファスナーを備えている。
【００２０】
本願の第３の発明の実施の形態は次のとおりである。ヘアバンド部は、前記ユーザーの前頭部（ひたい・おでこ）に対向する前頭対向部を含んでいる。前記前頭対向部は、そのユーザーの前頭部に対向する側と反対側の面の複数の位置に、それぞれ、後述のアイマスク部を着脱可能に取り付けるため第１の面ファスナー（ｈｏｏｋ−ａｎｄ−ｌｏｏｐ  ｆａｓｔｎｅｒ）を備えている。アイマスク部は、その前記ヘアバンド部の前頭対向部に対向する部分が、その前記ヘアバンド部に対向する側とその反対側との間の厚さが約１．０〜約５．０ｃｍの厚さを有するように形成されている。前記アイマスク部は、その前記ヘアバンド部と対向する面の前記第１の面ファスナーと対向する位置に、それぞれ、前記第１の面ファスナーと着脱可能な第２の面ファスナーを備えている。
【００２１】
本願の第４の発明の実施の形態は次のとおりである。ヘアバンド部は、前記ユーザーの前頭部に対向する前頭対向部を含んでいる。前記前頭対向部は、そのユーザーの前頭部に対向する側とその反対側との間の厚さが約１．０〜約５．０ｃｍとなるように形成されている。前記前頭対向部は、その前記ユーザーの前頭部に対向する側と反対側の面の複数の位置に、それぞれ、後述のアイマスク部を着脱可能に取り付けるためボタンを備えている。アイマスク部は、その前記ボタンと対向する位置に、それぞれ、前記ボタンを挿入するためのボタン穴を備えている。
【実施例１】
【００２２】
以下、図面を参照して本発明の実施例１によるヘアバンドを説明する。図１は本実施例１によるヘアバンドに含まれるヘアバンド部と中間部材とアイマスク部とを、互いに分離した状態で示す斜視図である。図２は、図１のアイマスク部と中間部材とを互いに固定した状態で示す斜視図である。図３（ａ）は図２のアイマスク部と中間部材とを、それらをヘアバンド部に取り付けた状態で、上方から示す図である。図３（ｂ）は、図３（ａ）に示すアイマスク部と中間部材とヘアバンド部とを、それらの中央部分を切断した状態で、側方から示す断面図である。図３（ｃ）は、図３（ｂ）の一部を拡大して示す断面図である。
【００２３】
図１及び図２において、１は、ユーザーの両眼を覆うための、例えば布製のアイマスク部、２は、ユーザーの頭部に装着するための、例えば布製のヘアバンド部２は、前記アイマスク部１と前記ヘアバンド部２との間に配置される中間部材、である。
【００２４】
前記アイマスク部１には、その前記中間部材３と対向する面（ユーザーの前頭部に対向する面）の例えば４箇所に、それぞれ、面ファスナー１ａが縫製などにより固定されている。また、前記中間部材３には、前記アイマスク部１の４個の面ファスナー１ａとそれぞれ対向する位置に、それぞれ、面ファスナー３ａが縫製などにより固定されている。前記アイマスク部１は、前記面ファスナー１ａと前記面ファスナー３ａとにより、前記中間部材３に対して、着脱可能に取り付けられる。
【００２５】
また、前記ヘアバンド部２には、その前記中間部材３と対向する面の例えば４箇所に、それぞれ、面ファスナー２ａが縫製などにより固定されている。また、前記中間部材３には、前記ヘアバンド部２の４個の面ファスナー２ａとそれぞれ対向する位置に、それぞれ、面ファスナー３ｂが縫製などにより固定されている。前記中間部材３は、前記面ファスナー３ｂと前記面ファスナー２ａとにより、前記アイマスク部２に対して、着脱可能に取り付けられる。
【００２６】
また、本実施例１においては、前記中間部材３は、その前記アイマスク部１に対向する面とその反対側の前記ヘアバンド部２に対向する面との間の厚さ（図３（ｂ）の符号ｍ参照）が、約１．０〜約４．０ｃｍ、例えば約３ｃｍ（又は約２ｃｍ）となるように、構成されている。すなわち、図３（ｂ）に示すように、前記中間部材３の中には、例えば厚さが約２．５ｃｍ（又は約１．５ｃｍ）の例えば布製の芯材３ｃが内蔵されているので、前記中間部材３の全体（前記芯材３ｃとそれを覆う周囲の布とを含む全体）のサイズは、約３ｃｍ（又は約２ｃｍ）の厚さを有するように、構成されている。
【００２７】
また、図１において、５は、前記ヘアバンド部２のユーザーの頭部の後方に配置される部分に取り付けられた、例えばゴム製の伸縮部、である。前記ヘアバンド部２は、前記ゴム製の伸縮部５により、個々のユーザーごとの頭部のサイズ違いに対応可能である。
【００２８】
図２は、前記アイマスク部１と前記中間部材３とを、前記面ファスナー１ａと前記面ファスナー３ａとにより、互いに着脱可能に固定した状態を示すものである。また、図３（ａ）は、前記図２の状態から、さらに、前記中間部材３を、前記ヘアバンド部２に対して、前記面ファスナー３ｂと前記面ファスナー２ａとにより、互いに着脱可能に固定した状態を上方から示した図である。また、図３（ｂ）は、この図３（ａ）の状態を側方から示すもので、一部に断面を含む側面図である。また、図３（ｃ）は、この図３（ｂ）における前記アイマスク部１と前記中間部材３と前記ヘアバンド部２との接続状態を拡大して示す断面図である。また、図４は、図３（ａ）に示す本実施例１をユーザーが装着した状態を示す、一部に断面を含む側面図である。
【００２９】
次に、本実施例１の使用方法について説明する。まず、ユーザーが本実施例１を通常のヘアバンドとして使用することを希望する場合は、図５に示すように、前記アイマスク部１がユーザーの頭頂の側に配置する状態（すなわち図３（ｂ）に示すものを上下逆さにした状態）で、前記ヘアバンド部２を頭部に装着する。この場合、ユーザーは、前記ヘアバンド部２を通常のヘアバンドとして使用することができる。また、この場合、前記アイマスク部１はヘアバンドを装飾する効果を有する。また、ユーザーは、前記アイマスク部１の面ファスナー１ａと前記中間部材３の面ファスナー３ａとを互いに離反させることにより、前記アイマスク部１だけを単独で使用することもできる。
【００３０】
次に、ユーザーが本実施例１を使用して、自己の両眼を覆って深い睡眠を得たい又は自己の両眼を覆って落ち着いた環境を得たいと希望する場合は、図６に示すように、ヘアバンド部２を、前記アイマスク部１がユーザーの両眼に対向するように、頭部に装着する。この場合、ユーザーは、前記ヘアバンド部２を、アイマスク部１を支持するためのものとして、使用する。
【００３１】
以上のように、本実施例１によれば、ユーザーは、本実施例１をヘアバンドとしてのみ使用したいときは、前記ヘアバンド部２を、前記アイマスク部１をユーザーの頭頂の方向に向けた状態で、使用する（図５参照）。また、ユーザーは、本実施例１をアイマスク部として使用したいときは、前記ヘアバンド部２を、前記アイマスク部１が自己の両眼を覆うように、使用する（図６参照）。よって、本実施例１によれば、ユーザーは、ヘアバンドを、従来と同様に使用する場合とアイマスクで両眼を覆うために使用する場合との２つの目的で使用できるようになるので、ヘアバンドの付加価値を大きく高めることができる。
【００３２】
また、本実施例１においては、前記アイマスク部１と前記ヘアバンド部２との間に、約３ｃｍ（又は約２ｃｍ）の厚さを有する中間部材３が配置されているので、図４に示すように、前記アイマスク部１とユーザーの両眼との間に約３ｃｍ（又は約２ｃｍ）以上の距離（スペース）を確保できるようになる。よって、本実施例１によれば、従来のアイマスクの装着時に生じていたアイマスクが両眼への圧迫感を与えるという不都合と、従来のアイマスクの装着時に生じていたアイマスクが付け睫毛その他の睫毛エクステンションなどを初めとするアイメイク（眼化粧）に接触してアイメイク（眼の周囲の化粧）が損なわれてしまうという不都合とを、防止することができる。
【００３３】
また、本実施例１においては、前記ヘアバンド部２の面ファスナー２ａと前記中間部材３の面ファスナー３ｂと離反することにより、前記アイマスク部１及び中間部材３を、前記ヘアバンド部２から取り外すことができるので、ユーザーは、アイマスクを使用する予定がないときは、前記アイマスク部１が取り外された状態の前記ヘアバンド部２だけを、使用することができる。
【実施例２】
【００３４】
次に、本発明の実施例２を図７及び図８を参照して説明する。本実施例２に関しては、前記の実施例１と異なる部分のみを説明し、前記の実施例１と共通する部分については説明を省略する。
【００３５】
本実施例２においては、ヘアバンド部１２の構成が前記実施例１のヘアバンド部２と異なっている。すなわち、本実施例２においては、図７及び図８に示すように、前記ヘアバンド部１２の前記アイマスク部１が取り付けられる部分１２ｂ（ユーザーの前頭部に対向する部分）の厚さ（図８（ｂ）のｎを参照）が、例えば約３ｃｍ（又は約２ｃｍ）となるように、形成されている。すなわち、図８（ｂ）及び図８（ｃ）に示すように、本実施例２のヘアバンド部１２の前記アイマスク部１が取り付けられる部分１２ｂ（ユーザーの前頭部に対向する部分）は、布製の芯材１２ｃとそれを覆う布とを含んでいる。そして、前記部分１２ｂの全体の厚さは、前記芯材１２ｃが約２．５ｃｍ（又は約１．５ｃｍ）の厚さを有するように形成されているので、約３ｃｍ（又は約２ｃｍ）の厚さを有するように、構成されている。
【００３６】
本実施例２では、このような構成を採用した結果、ユーザーが本実施例２を頭部に装着したときは、前記アイマスク部１２とユーザーの両眼との間に約３ｃｍ（又は約２ｃｍ）以上の距離を確保できるようになる（前記の実施例１において説明した図４と同じ状態）。よって、本実施例２によっても、前記実施例１と同様に、従来のアイマスクの装着時に生じていたアイマスクが両眼への圧迫感を与えるという不都合と、従来のアイマスクの装着時に生じていたアイマスクが付け睫毛その他の睫毛エクステンションなどを初めとするアイメイク（眼化粧）に接触してアイメイク（眼の周囲の化粧）が損なわれてしまうという不都合とを、防止することができる。
【実施例３】
【００３７】
次に、本発明の実施例３を図９及び図１０を参照して説明する。本実施例３に関しては、前記の実施例１と異なる部分のみを説明し、前記の実施例１と共通する部分については説明を省略する。
【００３８】
図９（ａ）は本実施例３のアイマスク部１１を外側（ユーザーに対向しない側）から見たときの斜視図、図９（ｂ）は本実施例３のアイマスク部１１を内側（ユーザーに対向する側）から見たときの斜視図である。また、図１０（ａ）は本実施例３を上方から示す図、図１０（ｂ）は本実施例３を側方から示す、一部に断面を含む側面図、図１０（ｃ）は図１０（ｂ）の一部を拡大して示す断面図である。
【００３９】
本実施例３と前記実施例１とで異なる部分は、アイマスク部１１の構成である。すなわち、本実施例３においては、図９に示すように、前記ヘアバンド部２の上端部１１ａ（ユーザーの前頭部に対向する部分）の厚さ（図９（ｂ）及び図１０（ｂ）のｐを参照）が、例えば約３ｃｍ（又は約２ｃｍ）となるように、形成されている。
【００４０】
すなわち、図１０（ｂ）及び図１０（ｃ）に示すように、本実施例３のアイマスク部１１の上端部１１ａ（ユーザーの前頭部に対向する部分）は、布製の芯材１１ｃとこれを覆う布とにより構成されている。そして、前記芯材１１ｃは、その厚さが約２．５ｃｍ（又は約１．５ｃｍ）となるように形成されている。したがって、前記アイマスク部１１の上端部１１ａの前記芯材１１ｃとそれを覆う布とを含む全体の厚さ（図９（ｂ）及び図１０（ｂ）のｐを参照）は、約３ｃｍ（又は約２ｃｍ）となっている。
【００４１】
本実施例３では、このような構成を採用した結果、ユーザーが本実施例３を頭部に装着したときは、前記アイマスク部１１とユーザーの両眼との間に約３ｃｍ（又は約２ｃｍ）以上の距離（スペース）を確保できるようになる（前記の実施例１において説明した図４と同じ状態）。よって、本実施例３によっても、前記実施例１と同様に、従来のアイマスクの装着時に生じていたアイマスクが両眼への圧迫感を与えるという不都合と、従来のアイマスクの装着時に生じていたアイマスクが付け睫毛その他の睫毛エクステンションなどを初めとするアイメイク（眼化粧）に接触してアイメイク（眼の周囲の化粧）が損なわれてしまうという不都合とを、防止することができる。
【実施例４】
【００４２】
次に、図１１，図１２，及び，図１３を参照して、本発明の実施例４を説明する。図１１は本実施例４を構成するヘアバンド部とアイマスク部とを互いに分離した状態を示す斜視図、図１２（ａ）は図１１のアイマスク部をヘアバンド部に取り付けた状態を示す平面図、図１２（ｂ）は図１２（ａ）のアイマスク部及びヘアバンド部の中央部を切断した状態を示す断面図である。
【００４３】
図１１及び図１２において、２１は、ユーザーの両眼を覆うための例えば布製のアイマスク部、２２は、前記アイマスク部２１の左右の上端部にそれぞれ形成されたボタン穴、２３は例えば布製のヘアバンド部、２４は、前記ヘアバンド部２３のユーザーの前頭部に配置される部分２３ａの左右にそれぞれ取り付けられた例えばプラスチック製のボタン、２５は、前記ヘアバンド部２３のユーザーの後頭部に配置される部分に取り付けられた、例えばゴム製の伸縮部、である。
【００４４】
本実施例４においては、前記アイマスク部２１は、前記ボタン穴２２に前記ヘアバンド部２３のボタン２４を挿通させることにより、前記ヘアバンド部２３に着脱可能に取り付けられる（固定される）。
【００４５】
また、本実施例４においては、前記ヘアバンド部２３の前記アイマスク部２１が取り付けられる部分（ユーザーの前頭部配置される部分）２３ａは、その前記アイマスク部２１が固定される面とその反対側の面との間の厚さ（図１２（ｂ）の符号ｑ参照）が、約１．０〜約５．０ｃｍ、例えば約３ｃｍ（又は約２ｃｍ）となるように、構成されている。すなわち、図１２（ｂ）に示すように、前記部分２３ａには、その厚さが約２．５ｃｍ（又は約１．５ｃｍ）の布製の芯材２３ｂが内蔵されているので、前記部分２３ａの全体（前記芯材２３ｂを含む）の厚さ（図１２（ｂ）の符号ｑ参照）は、約３ｃｍ（又は約２ｃｍ）となっている。
【００４６】
なお、前記ヘアバンド部２３の前記部分２３ａ（前記のアイマスク部２１が取り付けられる部分２３ａ）の厚さは例えば約３ｃｍ（又は約２ｃｍ）となるように形成されているが、図１２（ａ）に示すように、前記ヘアバンド部２３全体は、その厚さが、前記部分２３ａからユーザーの後頭部に対向する部分（後述の伸縮部２５が配置されている部分）に移行するに従って、徐々に厚さ寸法が小さくなるように、形成されている。
【００４７】
また、本実施例４においては、前記ヘアバンド部２３のユーザーの後頭部に対向する部分に、例えばゴム製の伸縮部２５が備えられているので、個々のユーザーごとの頭部のサイズ違いに対応可能となっている。
【００４８】
次に、本実施例４の使用方法は、前記の実施例１と同様である。すなわち、ユーザーは、本実施例４を使用することにより、ヘアバンドとして使用する場合とアイマスクとして使用する場合との、２つの目的で、使用できる。
【００４９】
また、本実施例４においては、ボタン穴２２とボタン２４とにより、前記アイマスク部２１を前記ヘアバンド部２３に対して着脱可能に取り付けられるようにしているので、例えば、ユーザーは、前記アイマスク部２１を使用する予定がないときは、前記アイマスク部２１を取り外した状態の前記ヘアバンド部２３だけを、使用することができる。
【００５０】
また、本実施例４では、前記ヘアバンド部２３の前記アイマスク部２１が取り付けられる部分２３ａの厚さが例えば約３ｃｍ（又は約２ｃｍ）となるように形成されているため、本実施例４をユーザーの頭部に装着したときは、前記アイマスク部２１とユーザーの両眼との間に約３ｃｍ（又は約２ｃｍ）近くの距離（スペース）を確保できるようになる（前記実施例１に関する図４を参照）。よって、本実施例４によれば、前記の実施例１と同様に、従来のアイマスクの装着時に生じていたアイマスクが両眼への圧迫感を与えるという不都合と、従来のアイマスクの装着時に生じていたアイマスクが付け睫毛その他の睫毛エクステンションなどを初めとするアイメイク（眼化粧）に接触してアイメイク（眼の周囲の化粧）が損なわれてしまうという不都合とを、防止することができる。
【００５１】
以上、本発明の各実施例について説明したが、本発明はこれらに限られるものではなく、様々な訂正が可能である。例えば、前記各実施例においては、前記アイマスク部１，１１，２１は、前記ヘアバンド部２，２３に取り付けられた状態でユーザーが使用するようにしているが、本発明はこれに限られるものではなく、例えば前記アイマスク部１，１１，２１の左右両端部に、それぞれ、前記アイマスク部１，１１，２１をユーザーの頭部に装着するための紐を固定させておき、前記アイマスク部１，１１，２１を、前記ヘアバンド部２，２３から取り外した単独の状態で、使用するようにしてもよい。
【符号の説明】
【００５２】
１，１１，２１ アイマスク部
１ａ，２ａ，３ａ，３ｂ，１１ｂ         面ファスナー
３         中間部材
２，２３          ヘアバンド部
３ｃ，１１ｃ，１２ｃ，２３ｂ 芯材
５，２５          伸縮部
１１ａ  上端部
２２     ボタン穴
２４     ボタン
【図１】
2010131354.tif 000003
【図２】
2010131354.tif 000004
【図３】
2010131354.tif 000005
【図４】
2010131354.tif 000006
【図５】
2010131354.tif 000007
【図６】
2010131354.tif 000008
【図７】
2010131354.tif 000009
【図８】
2010131354.tif 000010
【図９】
2010131354.tif 000011
【図１０】
2010131354.tif 000012
【図１１】
2010131354.tif 000013
【図１２】
2010131354.tif 000014
【図１３】
2010131354.tif 000015